(57)【要約】【課題】内型枠の脱型を容易とし、セメント系材料の自己収縮を拘束しない中空コンクリート体製造装置及び中空コンクリート体の製造方法を提供すること。【解決手段】細長の芯材２１と、芯材２１を包囲する可撓性筒体２２と、可撓性筒体２２表面に塗布した潤滑剤２４と、可撓性筒体２２表面に潤滑剤２４を介して設けたフィルム２３と、から内型枠２を構成し、内型枠２と外型枠３を型枠架台４上に載置してなる中空コンクリート体製造装置１である。【選択図】図３
2005224984.tif 000002
【特許請求の範囲】
【請求項１】
中空コンクリート体を製造する製造装置であって、
細長の芯材と、
前記芯材を包囲する可撓性筒体と、
前記可撓性筒体表面に設けたフィルムと、から内型枠を構成し、
前記内型枠と外型枠を型枠架台上に載置してなることを特徴とする、
中空コンクリート体製造装置。
【請求項２】
中空コンクリート体を製造する製造装置であって、
細長の芯材と、
前記芯材を包囲する可撓性筒体と、
前記可撓性筒体表面に塗布した潤滑剤と、
前記可撓性筒体表面に前記潤滑剤を介して設けたフィルムと、から内型枠を構成し、
前記内型枠と外型枠を型枠架台上に載置してなることを特徴とする、
中空コンクリート体製造装置。
【請求項３】
前記可撓性筒体は、その表面に該可撓性筒体の延伸方向に伸びた凹凸部を備えてなることを特徴とする、
請求項１又は２に記載の中空コンクリート体製造装置。
【請求項４】
前記型枠架台に設けたストッパーにて前記外型枠を固定し、
前記型枠架台に設けた反力体と前記内型枠の端部を引張材を介して連結させて構成し、
コンクリート打設後に、前記引張材を引張ることにより前記内型枠を脱型可能としたことを特徴とする、
請求項１乃至３のいずれかに記載の中空コンクリート体製造装置。
【請求項５】
請求項１乃至４のいずれかに記載の中空コンクリート体製造装置を使用した中空コンクリート体の製造方法であって、
前記内型枠及び前記外型枠で包囲された空間にセメント系材料を打設し、
養生時間経過後に、前記引張材を引張って前記内型枠を脱型するとともに前記外型枠を脱型して中空コンクリート体を製造することを特徴とする、
中空コンクリート体の製造方法。
【発明の詳細な説明】
【技術分野】
【０００１】
本発明は、中空コンクリート体を製造する際に使用する中空コンクリート体製造装置と、該製造装置を使用した中空コンクリート体の製造方法に関するものである。
【背景技術】
【０００２】
従来、中空コンクリート体を製造する際には、発泡スチロールや木製材料、鋼製材料などからなる内型枠を使用しておこなわれてきた。木製材料や鋼製材料を使用する場合は、内空寸法に応じた内型枠を中空または中実に製作したものを使用している。一方、発泡スチロールを使用する場合には、内空寸法に応じた内型枠を中実に製作したものを使用している。
内型枠は、コンクリート打設後に脱型される場合のみならず、場合によってはコンクリート体の一部としてそのまま残置される、いわゆる捨て型枠として使用される場合もある。発泡スチロールを使用する場合の脱型は、型枠端部の開口部から鉄筋棒などを差し込み、発泡スチロールを穿り出すことによりおこなわれている。
【発明の開示】
【発明が解決しようとする課題】
【０００３】
前記した従来の内型枠にあっては、次のような問題点がある。
＜１＞内型枠を捨て型枠として使用する場合は、内型枠の転用を図ることができず、したがって施工コストに影響を及ぼすこととなる。
＜２＞木製材料、鋼製材料にて製作された従来の内型枠を使用する場合、材料としての剛性が高いために、例えば繊維補強セメント系混合材料などの自己収縮性の高い材料を打設すると、内型枠がかかる自己収縮を拘束してしまう。この拘束によって、前記する混合材料の強度発現時に材料内部にて引張応力が生じ、中空コンクリート体内部のひび割れの原因となる。かかるひび割れは構造部材の強度低下を招来する。
＜３＞内型枠として発泡スチロールのような比較的柔軟な材料を使用する場合には、上記するようなセメント系材料の自己収縮を拘束するといった問題は生じ難い一方、材料が高価であるため、経済的な中空コンクリート体の製造を実現することが極めて難しい。また、発泡スチロールのような材料は転用が不可能であるため不経済である。
＜４＞内型枠として発泡スチロールや木製材料などの比較的軽量な材料を使用する場合、セメント系材料を打設した際に生じる浮力対策が重要な課題となる。かかる浮力に抗するために、中空コンクリート体の両端を支持するとともに、タイバー等により内型枠と外型枠を連結させるなどしている。このタイバーは打設されたセメント系材料の流動を著しく阻害するために、均質な中空コンクリート体を製造することが困難となるなど品質面での問題がある。
＜５＞中空コンクリート体の内型枠の脱型作業は一般に困難であり、内空が小さくなればなるほど難しくなる。
【課題を解決するための手段】
【０００４】
上記のような問題を解決するために、本発明の中空コンクリート体製造装置は、細長の芯材と、前記芯材を包囲する可撓性筒体と、前記可撓性筒体表面に設けたフィルムと、から内型枠を構成し、前記内型枠と外型枠を架台上に載置してなることを特徴とする中空コンクリート体製造装置である。ここで、前記可撓性筒体表面に潤滑剤を塗布し、前記可撓性筒体表面に前記潤滑剤を介してフィルムを備えた構成とすることもできる。また、前記可撓性筒体は、その表面に該可撓性筒体の延伸方向に伸びた凹凸部を備えて成形することもできる。さらに、前記型枠架台に設けたストッパーにて前記外型枠を固定し、前記型枠架台に設けた反力体と前記内型枠の端部を引張材を介して連結させて構成し、コンクリート打設後に、前記引張材を引張ることにより前記内型枠を脱型可能とした構成とすることもできる。
また、本発明の中空コンクリート体の製造方法は、上記する中空コンクリート体製造装置を使用した方法であって、前記内型枠及び前記外型枠で包囲された空間にセメント系材料を打設し、養生時間経過後に、前記引張材を引張って前記内型枠を脱型するとともに前記外型枠を脱型して中空コンクリート体を製造することを特徴とするものである。
【発明の効果】
【０００５】
本発明の中空コンクリート体製造装置及び中空コンクリート体の製造方法は、上記した課題を解決するための手段により、次のような効果の少なくとも一つを得ることができる。
＜１＞内型枠の転用が可能であり、型枠コストが中空コンクリート体の製造に及ぼす影響を極めて小さくすることができる。
＜２＞セメント系材料の打設後から型枠の脱型までに生じるセメント系材料の自己収縮に対して、過度の拘束を与えることがないため、良質な中空コンクリート体を製造することができる。
＜３＞セメント系材料打設後に型枠に生じる浮力対策として内型枠及び外型枠をタイバー等で連結するといったことがないため、セメント系材料の型枠内の流動を阻害することはない。
＜４＞中空コンクリート体の中空部寸法の大小に関係なく、容易に内型枠の脱型をおこなうことができる。
【発明を実施するための最良の形態】
【０００６】
＜１＞製造装置の構成
以下、内空断面及び外形がともに円形の中空コンクリート体を対象として説明し、製造装置１もかかる円形断面の中空コンクリート体の製造を対象とした構成にて説明する。なお、中空コンクリート体は、上記する断面に拘束されるものでないことはもちろん、製造装置１の各構成部材も製造対象の中空コンクリート体の内空断面及び外形に応じて適宜その形状を相違させることとする。さらに、中空コンクリート体の製造材料であるセメント系材料としては、普通セメントや高強度セメントのほか、繊維補強セメント系混合材料などを使用できる。その中でも、材料強度が高く、高い出来上がり寸法精度が要求される繊維補強セメント系混合材料を使用する場合に本発明の製造装置１を使用するのが好ましい。
【０００７】
本発明の中空コンクリート体の製造装置１は、型枠架台４上に内型枠２及び外型枠３を載置して構成される（図３，４参照）。ここで、型枠架台４は、表面が平坦なプレートと、該プレート表面に載置された外型枠受け台４４及び内型枠受け台４３、内型枠２を引張って脱型する際に外型枠３を載置位置に固定させるためのストッパー４１と内型枠２の引張り脱型時に反力を取る反力体４２とから構成される。
外型枠受け台４４は、その断面視形状が矩形であり、その上方で中央付近は半円形に切り欠いたように成形され、ある程度長尺な部材であって該半円形内に外型枠３を収容可能に成形される。
内型枠受け台４３は、内型枠２を構成する芯材２１をその両端部付近で支持する受け台である。内型枠受け台４３は、その表面に芯材２１の外径を備えた孔を刻設した鋼製板材からなり、芯材２１の両端付近の型枠架台４上に夫々立設して固着される。
【０００８】
型枠架台４の端部には反力体４２を上方へ突設させておき、内型枠２の端部に設けた吊り詮体７にその端部を巻きつけた引張材６の他方の端部を、該反力体４２に備えた巻き軸に巻きつけ可能とする。かかる巻き軸は手動又はモーター式で回転可能に構成され、引張材６を巻き軸に巻きつけることによって内型枠２を引張って脱型することができる。
ここで、内型枠２の脱型時に外型枠３が内型枠２に引きずられて移動しないように、型枠架台４上で外型枠３の下方端部にストッパー４１を突設させておく。
【０００９】
型枠架台４、反力体４２、内型枠受け台４３、外型枠受け台４４、ストッパー４１は鋼材にて製作するのが好ましい。また、引張材６はワイヤーロープなどを使用することができる。
【００１０】
型枠架台４には、反力体４２とストッパー４１が夫々固着されているため、反力体４２とストッパー４１は型枠架台４を介して一体化している。したがって、引張材６を巻きつけて引張る際に床面上で該型枠架台４がスライドしないように固定する必要はない。
外型枠３天端には打設口が設けてあり、漏斗５の先端を該打設口に連通設置してセメント系材料の打設をおこなう。
上記するように、本発明の製造装置１は極めてシンプルな構造であり、構成部材も鋼材にて製作可能であり、さらに内型枠２及び外型枠３を木製材料又は鋼製材料にて製作することで多数回の転用が可能であることから、従来の型枠に比べて非常に経済的である。
さらに、型枠架台４上で、内型枠２及び外型枠３を夫々別個に支持する構成とすることから、従来のタイバーなどで両型枠の相対的な位置関係を確保することによって生じていた、タイバーによるセメント系材料の流動阻止といった問題は生じ得ない。
【００１１】
＜２＞内型枠
本発明の内型枠２は、細長の芯材２１と、芯材２１を包囲するように設けた可撓性筒体２２と、可撓性筒体２２表面に設けたフィルム２３とから構成される。なお、可撓性筒体２２とフィルム２３の間には潤滑剤２４を介在させるのが好ましい（図１参照）。
芯材２１は、中空コンクリート体の中空部を形成するための型枠であるため、ある程度の剛性を必要とする。すなわち、打設するセメント系材料の重量や側圧に対して、該芯材２１が変形することのないような剛性が必要である。
芯材２１は、木製材料や鋼製材料などにて製作でき、その構造は中実構造であっても中空構造であってもよい。鋼管や木管のほか、塩化ビニル管などにて製作できる。
【００１２】
可撓性筒体２２は、ゴム系材料や樹脂系材料からなるシートを芯材２１表面に接着剤等で巻き付けて筒状としながら固着させる。なお、予め筒状に成形した可撓性筒体２２を芯材２１に嵌装させて接着してもよい。ここで、可撓性筒体２２は表内に凹凸のないシート状に成形したもののほか、表内に凹凸部２２０を備えて成形されたものを使用することもできる（図２参照）。表面に設けた凹凸部２２０は、図２に示すように芯材２１の延伸方向に伸びた状態に成形するほか、図示しないが、多数の突起を表面に設けて構成することもできる。
【００１３】
可撓性筒体２２を芯材２１の外周に巻きつけることにより以下の効果を得ることができる。すなわち、（１）可撓性筒体２２の可撓性能によってセメント系材料の自己収縮に該可撓性筒体２２が追随できるため、内型枠２がセメント系材料の自己収縮を拘束しないこと。（２）内型枠が拘束する中空コンクリート体への拘束度が大きいと、内型枠を引張り脱型する際の抵抗力が大きなものとなり、内型枠の引抜きを阻害する。
可撓性筒体２２の表面に凹凸部２２０を備えることの効果は、後述する潤滑剤２４を可撓性筒体２２表面に塗布する際に、かかる潤滑剤の均一な塗布を実現できることにある。
【００１４】
潤滑剤２４は、内型枠２の引抜き時に、内型枠２を構成する可撓性筒体２２と硬化した中空コンクリート体の中空面に固着したフィルム２３を、容易に縁切りするために塗布する材料である。
【００１５】
フィルム２３は、可撓性筒体２２と中空コンクリート体の中空面とを縁切りすることのほか、潤滑剤２４を塗布した場合には、かかる潤滑剤２４が中空コンクリート体の中空面に付着するのを防止する効果を備えている。フィルム２４は内型枠２引抜き時に中空コンクリート体の中空面に残置することから、内型枠２の引抜き後は確実に取り除くことを要する。なお、フィルム２３は１枚の薄いシートを可撓性筒体２２表面に接着したり、予め筒状のフィルム２３として製作しておき、筒状に成形された可撓性筒体２２の中空部に挿入接着することもできる。
【００１６】
＜３＞製造方法
型枠架台４の外型枠受け台４４上に外型枠３を載置し、該外型枠３に内型枠２を嵌装後、該内型枠２の両端を内型枠受け台４３，４３の夫々の孔に嵌装設置する。
内型枠２の端部に吊り詮体７を取り付け、反力体４２と吊り詮体７を引張材６にて連結する。なお、かかる作業、セメント系材料を打設して養生期間経過後、実際に内型枠２を引抜く際におこなってもよい。
ここで、外型枠３の前方端部下端はストッパー４１にて前方（反力体４２側）にスライドしないように固定されている。
外型枠３の天端から例えば漏斗５を介してセメント系材料を内型枠２及び外型枠３の間の空間に充填し、養生させる。
セメント系材料が所要の強度に達した後に、引張材６を引張って内型枠２を脱型し、外型枠３を脱型することで、中空コンクリート体が製造できる。
【図面の簡単な説明】
【００１７】
【図１】本発明の内型枠の一実施形態を示した斜視図。
【図２】表面に凹凸部を備えた可撓性筒体を示した斜視図。
【図３】本発明の中空コンクリート体製造装置を示した側面図。
【図４】図３のＡ−Ａ矢視図。
【符号の説明】
【００１８】
１・・・・製造装置
２・・・・内型枠
２１・・・芯材
２２・・・可撓性筒体
２３・・・フィルム
２４・・・潤滑剤
２２０・・凹凸部
３・・・・外型枠
４・・・・型枠架台
４１・・・ストッパー
４２・・・反力体
６・・・・引張材
【図１】
2005224984.tif 000003
【図２】
2005224984.tif 000004
【図３】
2005224984.tif 000005
【図４】
2005224984.tif 000006